(57)【要約】【課題】従来の家具用耐震器具は、家具類上部と壁面の間の間隙に起因する家具類の後方への揺動力により、家具用耐震器具が壁面から外れ、家具類の転倒に至った。また、扉が開いたり引き出しが抜け落ちたりして、収容物が散乱した。【解決手段】固定ベルト１及び固定ベルト２により家具類の前方と側方への揺動を防止し、背面用固定金具４を家具類上部と壁面の間の間隙Ｓに挿入固定することにより家具類の後方への揺動を抑制し、家具類の転倒を防止すると同時に扉が開かないように固定する。【選択図】        図１
2005111062.tif 000002
【特許請求の範囲】
【請求項１】
金属製あるいは硬質樹脂製の中間リングに、同一面にループとフックが植設された面ファスナーが該面ファスナーの係着作用により３本係着されており、そのうち２本の面ファスナーの上記中間リングが係着されていない方の端部にそれぞれ金属製あるいは硬質樹脂製の金具用リングが上記面ファスナーの係着作用により係着されており、該金具用リングのそれぞれに該金具用リングと係合する係合部と螺着用の螺子孔を有する螺着用の螺子付の略平板状の壁面用金具が係合されている複数個の固定ベルトと、該固定ベルトの上記面ファスナーの幅と同一幅で長さ数ｃｍから１０数ｃｍ程度の両面に粘着剤を塗布し該粘着剤を保護被膜にて被覆した両面粘着性樹脂テープと、金属製の平板を縦断面において一方の端部が外側に９０°近く曲折されたＶ字状に曲折し両端に螺着用の螺子孔を設けた螺着用の螺子付の複数個の背面固定用金具を併せて１組の家具用耐震器具としたことを特徴とする家具用耐震器具。
【発明の詳細な説明】
【技術分野】
【０００１】
本発明は、一般家庭、あるいは事務所等において用いられている家具類用の耐震器具であり、さらに詳しくは、金属製あるいは硬質樹脂製の中間リングに、同一面にループとフックが植設された面ファスナーが該面ファスナーの係着作用により３本係着されており、そのうち２本の面ファスナーの上記中間リングが係着されていない方の端部にそれぞれ金属製あるいは硬質樹脂製の金具用リングが上記面ファスナーの係着作用により係着されており、該金具用リングのそれぞれに該金具用リングと係合する係合部と螺着用の螺子孔を有する螺着用の螺子付の略平板状の壁面用金具が係合されている複数個の固定ベルトと、該固定ベルトの上記面ファスナーの幅と同一幅で長さ数ｃｍから１０数ｃｍ程度の両面に粘着剤を塗布し該粘着剤を保護被膜にて被覆した両面粘着性樹脂テープと、金属製の平板を縦断面において一方の端部が外側に９０°近く曲折されたＶ字状に曲折し両端に螺着用の螺子孔を設けた螺着用の螺子付の複数個の背面固定用金具を併せて１組の家具用耐震器具としたことを特徴とする家具用耐震器具である。
【背景技術】
【０００２】
従来、一般家庭、あるいは事務所等において用いられている家具類の地震の折の転倒防止用具としては、図２１に示すようなＬ字金具Ｌ（複数）をもって、家具類ｆ１の上面後端部と壁面ｈ１を連結する方法がごく一般的である。
【０００３】
下記特許文献１に示す家具類転倒防止用止め金具ｔ１（図２２参照）は、ブラケット板部ｔ１１（上記Ｌ字金具Ｌに相当）に補強用の三角形状の突張り板部ｔ１２を付加（一体として構成）したもので、家具類の固定方法は上記Ｌ字金具Ｌ（図２１）と同様である。なお、ｆ２は家具類、ｔ１３は壁面である。
【０００４】
また、図２３に示すように、ねじシャフトｔ２１、ｔ２２を利用した伸縮機構をもって家具類ｆ３を天井ｔ２３と床ｔ２４の間に固定する転倒防止具ｔ２（特許文献２）も多く用いられている（特許文献２では、横滑り防止具ｔ２５、ｔ２５とともに用いられるとされる）。
【０００５】
さらには、あまり一般的とはいえないが、図２４に示すように、固定用の耐震ベルトｔ３を用いて家具類ｆ４を床ｔ３１に固定するという方法も存在する（特許文献３）。
【０００６】
また、図２５に示すように、リブｔ４２付のテーパーを持たせた平板ｔ４１を、該平板ｔ４１の厚い方が前方にくるように家具類ｆ５の底面と床ｔ４３の間に敷設することにより、家具類ｆ５を後方に傾け、転倒しにくくするという家具倒れ止め具ｔ４もある（特許文献４）。
【０００７】
上記各方法は、それぞれに特徴を有し、実際に用いられているものも多いが、やはり万全とはいえない。とくに震度が大で揺れがひどい場合には耐えきれず、家具類が転倒したり、家具類の扉が開いて中身が散乱する、あるいは引き出しがそのまま抜けてしまう等の現象を避けることはできなかった。
【０００８】
例えば、上記Ｌ字金具Ｌ（図２１）や特許文献１記載の家具類転倒防止用止め金具ｔ１（図２２）の場合、揺れが小さい場合には問題がないが、揺れが大きくなった場合、壁面固定用の螺子が抜け落ちて、上記Ｌ字金具Ｌや上記家具類転倒防止用止め金具ｔ１を着けたまま、家具類が転倒するという現象が発生する。
【０００９】
これは、次のような事情による。図２６に見るように、家具類ｆ６の背面が壁面ｈ２に接するように家具類ｆ６を設置した場合、普通は、どうしても家具類ｆ６の背面上部と壁面の間に間隙Ｓが生じる。
【００１０】
床材ｆｚは、壁面ｈ２に接する部分では床下の構造上、最も強度が高いが、部屋の中央にいくに従ってその強度は低下する。したがって、家具類ｆ６を、その背面が壁面ｈ２に接するように載置する場合、家具類ｆ６の背面部分の床材ｆｚ１は強度が高く、家具類の正面部分の床材ｆｚ２は強度が低い状態となる。
【００１１】
その結果、図２６に見るように、家具類は前傾し、家具類ｆ６の背面上部と壁面ｈ２の間に間隙Ｓが生じる。特に、床が畳敷きの場合（図示せず
）には、家具類の背面底部には畳の縁部が接するので、さらに家具類は前傾し、家具類の背面上部と壁面の間の間隙は大きなものとなる。
【００１２】
上記Ｌ字金具Ｌ（図２１参照）や特許文献１に記載の家具類転倒防止用止め金具ｔ１（図２２参照）は、本来的に間隙が生じる傾向にある家具類の背面上部を強制的に壁面と密着させて固定する方法であるので、上記Ｌ字金具Ｌや上記家具類転倒防止用止め金具ｔ１には、常に壁面に螺着せる螺子を抜脱せんとする力が働いている。そこへ大きな揺れが来た場合、通常に働く力と揺れによる力が相乗され、該螺子は簡単に抜脱され、家具類の転倒を招く結果となる。
【００１３】
あるいは、かろうじて転倒を免れたとしても、家具類の扉が開いて収納物が散乱したり、引き出しが飛び出す等の現象は全く防止することはできない。
【００１４】
さらに、この方法には、避けがたい難点が存する。通常、壁面には、化粧材の背後に、間柱と呼称される構造材が、一定間隔をおいて立設されており、上記Ｌ字金具Ｌや特許文献１に記載の家具類転倒防止用止め金具ｔ１は、この間柱の存する部分の壁面に螺着されない限り、強度的に非常に弱いものとなる。
【００１５】
家具類の横幅がある程度の延長を有していたり、設置される場所を自由に選択できる場合は、この間柱のある位置の壁面に、上記Ｌ字金具Ｌや特許文献１に記載の家具類転倒防止用止め金具ｔ１を最低２箇所螺着することが可能である。
【００１６】
しかし、家具類の横幅があまりない場合や設置される場所の選択が限られる場合には、上記Ｌ字金具Ｌや特許文献１に記載の家具類転倒防止用止め金具ｔ１を間柱のある位置の壁面に１箇所しか螺着できないこともある。あるいは、間柱のある位置の壁面には全く螺着できないこともある。
【００１７】
このような場合、上記Ｌ字金具Ｌや特許文献１に記載の家具類転倒防止用止め金具ｔ１は、背後に間柱のない壁面に螺着せざるをえない。その場合、上記Ｌ字金具Ｌや特許文献１に記載の家具類転倒防止用止め金具ｔ１は、壁面の化粧材にのみ螺着されることになるので、必然的に強度は不足し、僅かの揺れでも螺子は簡単に抜脱され、家具類の転倒を見る結果とならざるを得ない。
【００１８】
次に、特許文献２に記載の転倒防止具ｔ２（図２３）は、家具類を天井と床の間に固定するものである。したがって、前記のＬ字金具Ｌや特許文献１に記載の家具類転倒防止用止め金具ｔ１に見られるような、壁面に固定するゆえの欠点は見られない。
【００１９】
しかしながら、わが国における一般的な家屋構造においては、天井材は一種の化粧材であり、床材のように強度面を考えて構成した構造材にはなっていない。とくに、和室の天井材は、強度的には非常に弱いものである。
【００２０】
したがって、軽度の揺れの場合には家具類の転倒は防止できるが、揺れが大きくなると、天井材自体の強度が不足し、上記転倒防止具ｔ２が天井材を破壊して転倒し、より被害を拡大する結果となる。
【００２１】
また、かりに転倒防止可能な程度の揺れであっても、家具類の扉が開いて収納物が散乱したり、引き出しが飛び出す等の現象を防止することができない点は、上記Ｌ字金具Ｌや特許文献１に記載の家具類転倒防止用止め金具ｔ１と同様である。
【００２２】
次に、特許文献３に記載の耐震ベルトｔ３（図２４参照）の場合は、家具類の両側面と上面をベルトにて床に固定するものである。したがって、家具類が側面方向への揺れを蒙った場合には揺れを防止して転倒防止に役立つが、家具類が前後方向（正面側、背面側）への揺れを蒙った場合には、揺れを防止することができず、結局転倒へとつながる。
【００２３】
また、かりに転倒防止可能な程度の揺れであっても、家具類の扉が開いて収納物が散乱したり、引き出しが飛び出す等の現象を防止することができない点は、前記Ｌ字金具Ｌや特許文献１に記載の家具類転倒防止用止め金具ｔ１と同様である。
【００２４】
最後に、特許文献４に記載の家具倒れ止め具ｔ４（図２５参照）の場合は、該家具倒れ止め具ｔ４により家具類を強制的に後方に傾斜させるので、家具類の背面上部と壁面の間の間隙を解消することが可能である。
【００２５】
しかしながら、該家具倒れ止め具ｔ４の場合には、家具類を壁面、床、天井のいずれにも固定していないので、揺れが大きくなると耐えられず、結局転倒を招く結果とならざるをえない。
【００２６】
また、かりに転倒防止可能な程度の揺れであっても、家具類の扉が開いて収納物が散乱したり、引き出しが飛び出す等の現象を防止することができない点は、特許文献１に記載の家具類転倒防止用止め金具ｔ１と同様である。なお、以下に掲げる特許文献のうち、特許文献５は、以下の記述（発明の実施の形態の項）にて参照される。
【特許文献１】実願平７−１３１９
【特許文献２】実願平７−７８９４
【特許文献３】特願平５−７０６９５
【特許文献４】特願平５−７０９７１
【特許文献５】特願平３−３４９０５３
【発明の開示】
【発明が解決しようとする課題】
【００２７】
地震の揺れによる家具類の転倒は、前記のように、家具類の背面上部と壁面の間に間隙が生じ、この間隙の存在ゆえに家具類の上部が大きく揺れて転倒に至る場合が多い。しかしながら、前記Ｌ字金具Ｌや特許文献１に記載の家具類転倒防止用止め金具ｔ１のように、間隙を強制的に解消して家具類の背面上部を壁面に固定することにより該間隙の強制的解消を図る方法では、上記Ｌ字金具Ｌや上記家具類転倒防止用止め金具ｔ１自体の壁面からの抜脱が生じ、結局転倒を招く結果となる。
【００２８】
したがって、本発明においては、上記間隙を強制的に解消するという考え方ではなく、上記間隙による揺れを防止するという考え方に発想を切り替え、「間隙があっても揺れがない」状態で家具類を壁面に固定し、家具類の転倒防止を実現することのできる解決手段の発見を課題とした。
【００２９】
さらに、本発明においては、家具類の横幅や設置場所によらず、本発明の家具用耐震器具を必ず壁面の背後の間柱に固定することにより、家具類の転倒を確実に防止することのできる解決手段の発見を課題とした。
【００３０】
また、従来の技術手段においては、家具類の転倒防止のみに主眼があり、家具類の扉が開いて収納物が散乱したり、引き出しが飛び出す等の現象の防止には殆ど眼が向けられてこなかった。
【００３１】
しかしながら、食器戸棚においては、扉が開いて収納物が散乱した場合、食器類はその殆どが床に落下した衝撃で破損を蒙る。また、箪笥類にても、一旦収納物が飛散すると、その後の片付けがけっこう大仕事となってしまう。
【００３２】
したがって、本発明においては、家具類の転倒防止と併せて、家具類の扉が開いて収納物が散乱したり、引き出しが飛び出す等の現象を防止する解決手段の実現も課題とした。
【課題を解決するための手段】
【００３３】
本発明は、上記課題を解決するための手段として、金属製あるいは硬質樹脂製の中間リングに、同一面にループとフックが植設された面ファスナーが該面ファスナーの係着作用により３本係着されており、そのうち２本の面ファスナーの上記中間リングが係着されていない方の端部にそれぞれ金属製あるいは硬質樹脂製の金具用リングが上記面ファスナーの係着作用により係着されており、該金具用リングのそれぞれに該金具用リングと係合する係合部と螺着用の螺子孔を有する螺着用の螺子付の略平板状の壁面用金具が係合されている複数個の固定ベルトと、該固定ベルトの上記面ファスナーの幅と同一幅で長さ数ｃｍから１０数ｃｍ程度の両面に粘着剤を塗布し該粘着剤を保護被膜にて被覆した両面粘着性樹脂テープと、金属製の平板を縦断面において一方の端部が外側に９０°近く曲折されたＶ字状に曲折し両端に螺着用の螺子孔を設けた螺着用の螺子付の複数個の背面固定用金具を併せて１組の家具用耐震器具としたことを特徴とする家具用耐震器具を提供する。
【発明の効果】
【００３４】
本発明によれば、地震の際、家具類の背面上部と壁面の間に生ずる間隙により生ずる家具類の後方への揺動を複数個の背面固定金具が有するばね効果により抑制し、かつ左右一組の固定ベルトにより家具類を壁面（壁面裏の間柱）に固定することにより家具類の前方及び側方への揺動を防止するので、家具類が地震の揺れによって蒙る揺動を最小限に抑えることができ、家具類の転倒を防止することができる。
【００３５】
この際、左右一組の固定ベルトと複数個の背面固定金具は協働することにより、はじめて家具類が地震の揺れによって蒙る揺動を最小限に抑える効果を有するものである。
【００３６】
すなわち、上記構成より複数個の背面固定金具を欠いた場合、家具類の背面上部と壁面の間に生ずる間隙に由来する家具類の後方への揺動を抑制することができず、家具類が上記間隙による前後揺動を反復するうちに左右一組の固定ベルトを壁面に固定している固定用金具の螺子（複数）が緩み、壁面より抜脱されて家具類の転倒を見る結果となる。
【００３７】
あるいは、上記構成より左右一組の固定ベルトを欠いた場合、家具類の前方あるいは側方へ揺動せんとする力により複数個の背面固定金具を壁面に固定している螺子（複数）が緩み、壁面より抜脱されて家具類の転倒を見る結果となる。
【００３８】
要するに、本発明においては、左右一組の固定ベルトが家具類の前方あるいは側方への揺動を防止する効果を有し、かつ複数個の背面固定用金具が家具類の後方への揺動を抑制する効果を有し、この両方の効果が協働することにより始めて家具類の転倒防止という効果を齎すことができるものである。
【００３９】
要するに、本発明においては、家具類を壁面や床あるいは天井に固定するという単純な発想ではなく、転倒に至る前段階の家具類の揺動をいかにして抑制・防止するかという総合的見地からの発想に主眼をおいて開発が進められたものである。
【００４０】
そして、上記総合的見地からの発想から左右一組の固定ベルトと複数個の背面固定用金具という構成が得られたものであり、該構成によらずしては家具類の揺動を抑制・防止することは不可能であり、ひいては家具類の転倒防止という効果を齎すことも不可能であったといわざるをえない。
【００４１】
さらに、本発明においては、両開きの扉を有する家具類に対しては両開きの扉の前面を左右一組の固定ベルトが緊縛するので、地震の揺れによって両開きの扉が開放され、内部の収容物が飛散するという事態を防止することができる。
【００４２】
またさらに、本発明においては、引き出しを有する家具類に対しては引き出しの前面を左右一組の固定ベルトが緊縛するので、地震の揺れによって引き出しが抜け落ち、内部の収容物が飛散するという事態を防止することができる。
【００４３】
地震において家具類の蒙る被害は、揺れが小さい場合、転倒よりも、むしろ両開きの扉が開いて、または引き出しが抜け落ちて、家具類内部の収容物が散乱することにある。
【００４４】
しかるに、本発明によれば、上記両開きの扉が開く、あるいは引き出しが抜け落ちるという事態を完全に防止することができ、家具類内部の収容物が散乱することがありえない。
【００４５】
また、本発明の構成要因の１つである左右一組の固定ベルトは、長さ調節の可能なベルトであるので、左右一組の固定ベルトを壁面に固定する固定用金具の螺子を壁面の裏面の間柱のある位置に螺入することが可能であり、これにより本発明の家具用耐震器具全体の強度を高めることができるものである。
【発明を実施するための最良の形態】
【００４６】
本発明を実施するための最良の形態を、図面を参照しながら詳細に説明する。なお、本発明の範囲は、下記の実施例に限定されるものではないのは当然のことである。
【実施例１】
【００４７】
（実施例１の構成）
本発明の実施例１は、図２に示す固定ベルト１、図３に示す固定ベルト２、図２、図３、図４に示す壁面用金具３あるいは図５に示す壁面用金具３１、図２、図３に示す両面粘着性樹脂テープ５、及び図６に示す背面固定用金具４の各部材より構成されており、上記部材１、２、３（４個）あるいは３１（４個）、５（２個）を必ず同時に用いるものである。
【００４８】
図２に示すように、固定ベルト１は、金属製あるいは硬質樹脂製の環状の中間リング１０に、同一面にループとフックが混植されたベルト状の面ファスナー１１、１２、１３(前記特許文献５に記載の公知技術)が係着されている。なお、中間リング１０は耐荷重３０ｋｇ以上のものを使用する。
【００４９】
面ファスナー１１の長さは２ｍ程度、面ファスナー１２、１３の長さは、それぞれ１ｍ程度である。また、面ファスナー１１、１２、１３は、幅が１．５ｃｍから３ｃｍ程度である。耐荷重は、それぞれ３０ｋｇ以上（重ね合わせ長さ１０ｃｍにて）のものを使用する。
【００５０】
面ファスナー１１は、同一面にループとフックが混植された係着面１１ａと平滑面１１ｂが表裏として、面ファスナー１２は、同一面にループとフックが混植された係着面１２ａと平滑面１２ｂが表裏として、面ファスナー１３は、同一面にループとフックが混植された係着面１３ａと平滑面１３ｂが表裏として、それぞれ構成されている（上記特許文献５参照）。
【００５１】
面ファスナー１１は、係着面１１ａの係着作用により、中間リング１０に、面ファスナー１２は、係着面１２ａの係着作用により、中間リング１０に、面ファスナー１３は、係着面１３ａの係着作用により、中間リング１０に、それぞれ係着されている。
【００５２】
すなわち、面ファスナー１１は、同一面にループとフックが混植された面ファスナーであるので、係着面１１ａを内向きにして中間リング１０に係合させた状態で、中間部１１ｅ，１１ｆの係着面１１ａ，１１ａを相互に圧着することにより、中間リング１０に係着される。
【００５３】
ただし、上記係着状態は仮止めで、使用の際に一旦係着状態を解除して、家具類（図示せず）の大きさに合わせて再係着されるものである。
【００５４】
仮止め状態では、面ファスナー１１の端部１１ｃ、１１ｄは自由端となっている。また、面ファスナー１１が中間リング１０に係着される場所は、仮止め状態であるので、面ファスナー１１の中間部１１ｅ，１１ｆのいずれの場所でも良い。
【００５５】
同様に、面ファスナー１２は、端部１２ｃの係着面１２ａを内向きにして中間リング１０に係合させた状態で係着面１２ａ，１２ａを相互に圧着することにより、中間リング１０に係着されている。この際、係着面１２ａ，１２ａの係着部分１２ｅの長さは１０ｃｍ以上とする。
【００５６】
同様に、面ファスナー１３は、端部１３ｃの係着面１３ａを内向きにして中間リング１０に係合させた状態で係着面１３ａ，１３ａを相互に圧着することにより、中間リング１０に係着されている。この際、係着面１３ａ，１３ａの係着部分１３ｅの長さは１０ｃｍ以上とする。
【００５７】
面ファスナー１２の中間リング１０に係着されていない方の端部１２ｄは、端部１２ｄの係着面１２ａを内向きにして金具用リング１４に係合させた状態で係着面１２ａ，１２ａを相互に圧着することにより、金具用リング１４に係着されている。この際、係着面１２ａ，１２ａの係着部分１２ｆの長さは１０ｃｍ以上とする。
【００５８】
金具用リング１４は環状の金属製あるいは硬質樹脂製のリングで、中間リング１０と略同径である。金具用リング１４は、耐荷重１５ｋｇ以上のものを使用する。
【００５９】
面ファスナー１３の中間リング１０に係着されていない方の端部１３ｄは、端部１３ｄの係着面１３ａを内向きにして金具用リング１５に係合させた状態で係着面１３ａ，１３ａを相互に圧着することにより、金具リング１５に係着されている。この際、係着面１３ａ，１３ａの係着部分１３ｆの長さは１０ｃｍ以上とする。
【００６０】
金具用リング１５は環状の金属製あるいは硬質樹脂製のリングで、中間リング１０と略同径である。金具用リング１５は、耐荷重１５ｋｇ以上のものを使用する。
【００６１】
金具用リング１４と金具用リング１５には、それぞれ壁面用金具３の係合部３ｂが係合されている。
【００６２】
図３に示すように、固定ベルト２は、金属製あるいは硬質樹脂製の環状の中間リング２０に、同一面にループとフックが混植されたベルト状の面ファスナー２１、２２、２３(前記特許文献５に記載の公知技術)が係着されている。なお、中間リング２０は耐荷重３０ｋｇ以上のものを使用する。
【００６３】
面ファスナー２１の長さは２ｍ程度、面ファスナー２２、２３の長さは、それぞれ１ｍ程度である。また、面ファスナー２１、２２、２３は、幅が１．５ｃｍから３ｃｍ程度である。耐荷重は、それぞれ３０ｋｇ以上（重ね合わせ長さ１０ｃｍにて）のものを使用する。
【００６４】
面ファスナー２１は、同一面にループとフックが混植された係着面２１ａと平滑面２１ｂが表裏として、面ファスナー２２は、同一面にループとフックが混植された係着面２２ａと平滑面２２ｂが表裏として、面ファスナー２３は、同一面にループとフックが混植された係着面２３ａと平滑面２３ｂが表裏として、それぞれ構成されている。
【００６５】
面ファスナー２１は、係着面２１ａの係着作用により、中間リング２０に、面ファスナー２２は、係着面２２ａの係着作用により、中間リング２０に、面ファスナー２３は、係着面２３ａの係着作用により、中間リング２０に、それぞれ係着されている。
【００６６】
すなわち、面ファスナー２１は、同一面にループとフックが混植された面ファスナーであるので、係着面２１ａを内向きにして中間リング２０に係合させた状態で、中間部２１ｅ，２１ｆの係着面２１ａ，２１ａを相互に圧着することにより、中間リング２０に係着される。
【００６７】
ただし、上記係着状態は仮止めで、使用の際に一旦係着状態を解除して、家具類（図示せず）の大きさに合わせて再係着されるものである。
【００６８】
仮止め状態では、面ファスナー２１の端部２１ｃ、２１ｄは自由端となっている。また、面ファスナー２１が中間リング２０に係着される場所は、仮止め状態であるので、面ファスナー２１の中間部２１ｅ，２１ｆのいずれの場所でも良い。
【００６９】
同様に、面ファスナー２２は、端部２２ｃの係着面２２ａを内向きにして中間リング２０に係合させた状態で係着面２２ａ，２２ａを相互に圧着することにより、中間リング２０に係着されている。この際、係着面２２ａ，２２ａの係着部分２２ｅの長さは１０ｃｍ以上とする。
【００７０】
同様に、面ファスナー２３は、端部２３ｃの係着面２３ａを内向きにして中間リング２０に係合させた状態で係着面２３ａ，２３ａを相互に圧着することにより、中間リング２０に係着されている。この際、係着面２３ａ，２３ａの係着部分２３ｅの長さは１０ｃｍ以上とする。
【００７１】
面ファスナー２２の中間リング２０に係着されていない方の端部２２ｄは、端部２２ｄの係着面２２ａを内向きにして金具用リング２４に係合させた状態で係着面２２ａ，２２ａを相互に圧着することにより、金具用リング２４に係着されている。この際、係着面２２ａ，２２ａの係着部分２２ｆの長さは１０ｃｍ以上とする。
【００７２】
面ファスナー２３の中間リング２０に係着されていない方の端部２３ｄは、端部２３ｄの係着面２３ａを内向きにして金具用リング２５に係合させた状態で係着面２３ａ，２３ａを相互に圧着することにより、金具リング２５に係着されている。この際、係着面２３ａ，２３ａの係着部分２３ｆの長さは１０ｃｍ以上とする。
【００７３】
金具用リング２４は環状の金属製あるいは硬質樹脂製のリングで、中間リング２０と略同径である。金具用リング２４は、耐荷重１５ｋｇ以上のものを使用する。
【００７４】
金具用リング２５は環状の金属製あるいは硬質樹脂製のリングで、中間リング２０と略同径である。金具用リング２５は、耐荷重１５ｋｇ以上のものを使用する。
【００７５】
金具用リング２４と金具用リング２５には、それぞれ壁面用金具３の係合部３ｂが係合されている。
【００７６】
壁面用金具３は、図４に見るように、本体３ａが金属製あるいは硬質樹脂製の略長方形状の平板で、中央に、金属製あるいは硬質樹脂製の半円弧状の線状部材よりなる係合部３ｂが突設固着され、上部左方と下部右方に螺着用の螺子孔３ｃ、３ｄが穿設されている。なお、ｎ、ｎは螺着用の螺子である（２本で耐荷重１５ｋｇ以上のものを使用）。
【００７７】
係合部３ｂは本体３ａに一体として固着されている。係合部３ｂを本体３ａに突設固着させる方法は、溶着、接着、裏面からの螺着等、いずれの方法でも良いが、１５ｋｇ以上の耐荷重を得られる方法にて固着するものとする。
【００７８】
図５は、壁面用金具３（図３）とやや異なる構成の壁面用金具３１を示す。壁面用金具３１は、本体３１ａが金属製あるいは硬質樹脂製の略長方形状の平板で、中央にて本体３１ａの一部が平行な切断線３１ｂ、３１ｃにより切断され、切断線３１ｂ、３１ｃに挟まれた部分が表側に凸となるように曲折されて係合部３１ｄが形成されている。
【００７９】
係合部３１ｄは１５ｋｇ以上の耐荷重を得られるように形成されるものである。また、本体３１ａの上部左方と下部右方に螺着用の螺子孔３１ｅ、３１ｆが穿設されている。なお、ｎ、ｎは螺着用の螺子である（２本で耐荷重１５ｋｇ以上のものを使用）。
【００８０】
次に、図６において、４は背面固定用金具である。背面固定用金具４は幅１０ｃｍから１５ｃｍ程度、長さ２０ｃｍから４０ｃｍ程度の金属製の略長方形状の平板４１を、縦断面において一方の端部が外側に９０°近く曲折されたＶ字状になるように曲折したもので、両端に螺着用の螺子孔４２、４３、４４、４５が設けられている。なお、ｍ、ｍ、…は螺着用の螺子である（４本で耐荷重１５ｋｇ以上のものを使用）。
【００８１】
図６、図７（縦断面図）において、４１ａは平板状の壁面固定部、４１ｂは略１８０°近い急激な屈曲部、４１ｃは平板状のばね部、４１ｄは９０°よりやや大の屈曲部、４１eは平板状の家具固定部である。
【００８２】
次に、図２、図３において、５は面ファスナー１１あるいは２１の幅と同一幅で長さ数ｃｍから１０数ｃｍ程度の樹脂テープ５１の両面に粘着剤Ｃを塗布し該粘着剤Ｃを保護被膜５２、５３にて被覆した両面粘着性樹脂テープ（従来技術）である。
【００８３】
（実施例１の装着方法１）
以下に、実施例１の装着方法の一例に関して、図面を参照しながら詳細に説明する。
【００８４】
図１は、本発明の実施例１の家具用耐震器具を用いて、観音開きの右扉Ｔ１、左扉Ｔ２と引き出しＤ１、Ｄ２を有する洋服箪笥Ｙを壁面Ｈに固定した状態を示す。Ｆは床であり、Ｍ１、Ｍ２は壁面Ｈの化粧材Ｈ１の背後に立設された間柱（構造材）である。
【００８５】
まず、固定ベルト１を洋服箪笥Ｙの上部右側に装着固定する。
【００８６】
より詳しくは、図８に見るように、固定ベルト１の金具用リング１４、１５に係合された壁面用金具３、３を、面ファスナー１２と面ファスナー１３が「く」の字状になるようにそれぞれ壁面Ｈの化粧材Ｈ１に螺着する。
【００８７】
この際、壁面用金具３、３は、裏面に間柱Ｍ１のある位置を選んで、それぞれ壁面Ｈの化粧材Ｈ１に螺着するものとする。この理由は、間柱Ｍ１のない位置に螺着された場合、強度的に弱くなるからである。
【００８８】
またこの際、図１３に見るように、中間リング１０が洋服箪笥Ｙの正面から、距離εとなるように、面ファスナー１２、１３の長さを調節する。距離εは洋服箪笥Ｙの奥行きＤの３分の１程度とする。
【００８９】
面ファスナー１２、１３の長さを調節する方法は、以下のとおりである。すなわち、図２にて、面ファスナー１２の端部１２ｃと中間リング１０の係着状態を一旦解除して端部１２ｃを自由端とした後、面ファスナー１２の端部１２ｃを適切な長さに切断し、再度面ファスナー１２の端部１２ｃと中間リング１０を係着状態とする（この工程は図示せず）。
【００９０】
また、図２にて、面ファスナー１３の端部１３ｃと中間リング１０の係着状態を一旦解除して端部１３ｃを自由端とした後、面ファスナー１３の端部１３ｃを適切な長さに切断し、再度面ファスナー１３の端部１３ｃと中間リング１０を係着状態とする（この工程も図示せず）。
【００９１】
次に、面ファスナー１１の端部１１ｃの平滑面１１ｂを洋服箪笥Ｙの右扉Ｔ１の上部中央寄りに、両面粘着性樹脂テープ５をもって接着することにより、固定ベルト１を洋服箪笥Ｙの上部右側に装着固定する（図１２参照）。
【００９２】
この際、洋服箪笥Ｙの左右の中心線をＣＬとすると（図１３参照）、端部１１ｃの左端と中心線ＣＬとの距離Δｄが２〜３ｃｍになるようにする。
【００９３】
この際、図１２に見るように、端部１１ｃの平滑面１１ｂを右扉Ｔ１の上部中央寄りに接着した後、もう一方の端部１１ｄの長さを調節する。すなわち、端部１１ｄが右扉Ｔ１の両面粘着性樹脂テープ５の右端の近傍まで来るように（図１３）、端部１１ｄを切断する（図１２）。
【００９４】
次に、端部１１ｄの係着面１１ａと中間部１１ｅの係着面１１ａを中間部１１ｆの係着面１１ａに係着させ（図１２）、図１３に見るように、面ファスナー１１を緩みなく洋服箪笥Ｙの右扉Ｔ１の上部に装着固定する。これにて、固定ベルト１の装着固定は完了である。
【００９５】
次に、固定ベルト２を洋服箪笥Ｙの上部左側に装着固定する。
【００９６】
より詳しくは、図８に見るように、固定ベルト２の金具用リング２４、２５に係合された壁面用金具３、３を、面ファスナー２２と面ファスナー２３が「く」の字状になるようにそれぞれ壁面Ｈの化粧材Ｈ１に螺着する。
【００９７】
この際、壁面用金具３、３は、裏面に間柱Ｍ２のある位置を選んで、それぞれ壁面Ｈの化粧材Ｈ１に螺着するものとする。この理由は、固定ベルト１の場合と同様、間柱Ｍ２のない位置に螺着された場合、強度的に弱くなるからである。
【００９８】
またこの際、図１３に見るように、中間リング２０が洋服箪笥Ｙの正面から、距離εとなるように、面ファスナー２２、２３の長さを調節する。距離εは洋服箪笥Ｙの奥行きＤの３分の１程度とする。
【００９９】
面ファスナー２２、２３の長さを調節する方法は、以下のとおりである。すなわち、図３にて、面ファスナー２２の端部２２ｃと中間リング２０の係着状態を一旦解除して端部２２ｃを自由端とした後、面ファスナー２２の端部２２ｃを適切な長さに切断し、再度面ファスナー２２の端部２２ｃと中間リング２０を係着状態とする（この工程は図示せず）。
【０１００】
また、図３にて、面ファスナー２３の端部２３ｃと中間リング２０の係着状態を一旦解除して端部２３ｃを自由端とした後、面ファスナー２３の端部２３ｃを適切な長さに切断し、再度面ファスナー２３の端部２３ｃと中間リング２０を係着状態とする（この工程も図示せず）。
【０１０１】
次に、面ファスナー２１の端部２１ｃの平滑面２１ｂを、図１２に見るように洋服箪笥Ｙの左扉Ｔ２の上部中央寄りに、両面粘着性樹脂テープ５をもって接着することにより、固定ベルト２を洋服箪笥Ｙに装着固定する。
【０１０２】
この際、洋服箪笥Ｙの左右の中心線をＣＬとすると、端部２１ｃの右端と中心線ＣＬとの距離Δｄが２〜３ｃｍになるようにする（図１３参照）。
【０１０３】
この際、図１２に見るように、端部２１ｃの平滑面２１ｂを左扉Ｔ２の上部中央寄りに接着した後、もう一方の端部２１ｄの長さを調節する。すなわち、端部２１ｄが右扉Ｔ１の両面粘着性樹脂テープ５の右端の近傍まで来るように（図１３）、つまり、固定ベルト１の面ファスナー１１の端部１１ｃに被さる長さとなるように、端部２１ｄを切断する（図１２）。
【０１０４】
次に、端部２１ｄの係着面２１ａを固定ベルト１の面ファスナー１１の端部１１ｃの係着面１１ａに係着させ、中間部２１ｅの係着面２１ａを端部２１ｃの係着面２１ａと中間部２１ｆの係着面２１ａに係着させ（図１２）、図１３に見るように、面ファスナー２１を緩みなく洋服箪笥Ｙの左扉Ｔ２の上部に装着固定する。これにて、固定ベルト２の装着固定は完了である。
【０１０５】
この状態にて、面ファスナー２１の端部２１ｄは、面ファスナー１１の端部１１ｃに係着された状態であり、これにより、面ファスナー１１と面ファスナー２１は連結され、さらに固定ベルト１と固定ベルト２は一体として洋服箪笥Ｙの右側面、正面、左側面を囲繞し、洋服箪笥Ｙを壁面Ｈ（間柱Ｍ１、Ｍ２）に固定することとなる。
【０１０６】
なお、面ファスナー２１の端部２１ｄと面ファスナー１１の端部１１ｃの重なる部分の長さδ（図１３参照）は、１０ｃｍ以上とする。
【０１０７】
次に、図１、図８に見るように、洋服箪笥Ｙの上面Ｙａの後端部に生じる間隙Ｓに背面固定用金具４，４を挿入固定する。
【０１０８】
すなわち、図８に見るように、螺子ｍ、ｍを螺子孔４２、４３に螺入して背面固定用金具４の壁面固定部４１ａを、壁面材Ｈ１に螺着固定する。また、螺子ｍ、ｍを螺子孔４４、４５に螺入して背面固定用金具４の家具固定部４１ｅを、洋服箪笥Ｙの上面Ｙａの後端部に螺着固定する。
【０１０９】
これにより、図７に見るように、洋服箪笥Ｙの上面Ｙａの後端部は背面固定用金具４を介して壁面材Ｈ１に螺着固定された状態となる。
【０１１０】
背面固定用金具４の上記螺着固定は、図８に示すように、洋服箪笥Ｙの上面Ｙａの後端部に於いて、２箇所以上行う。
【０１１１】
本来は、背面固定用金具４による上記螺着固定は、間柱Ｍ１、Ｍ２のある箇所にて行われるのが理想であるが、図８のように、間柱Ｍ１、Ｍ２に螺着固定するのが無理な場合には、壁面材Ｈ１に対してのみ行う。これで、実施例１の家具用耐震器具の装着固定はすべて完了となる。
【０１１２】
（実施例１の作用）
地震による揺れを被った場合、通常は、洋服箪笥Ｙの背面上部に生じている間隙Ｓ（図８参照）により、洋服箪笥Ｙの背面上部は、激しく前後に揺動する。しかし、実施例１の家具用耐震器具が装着固定されている場合、背面固定用金具４、４、…の作用により、洋服箪笥Ｙの背面上部の揺動は抑制される。
【０１１３】
即ち、図７に見るように、壁面固定部４１ａとばね部４１ｃが屈曲部４１ｂを介して板ばねの機能を果たし、この部分にて後方への揺れを吸収して洋服箪笥Ｙの背面上部の揺動を抑制するのである。
【０１１４】
また、図８，図１３に見るように、面ファスナー１１の端部１１ｃと面ファスナー２１の端部２１ｄが係着状態にある結果、固定ベルト１と固定ベルト２が緩みなく連結された状態で洋服箪笥Ｙの右側面上部、正面上部、左側面上部を緊縛状態にて囲繞しているので、これにより洋服箪笥Ｙの前方及び側方への揺れは防止される。
【０１１５】
結果として、洋服箪笥Ｙは前後左右への揺動を抑制・防止されることとなり、その転倒が防止されることとなる。
【０１１６】
この際、固定ベルト１、固定ベルト２、複数個の背面固定用金具４，４，……が同時に使用されていることが肝要であって、そのいずれかを欠けば、本発明の実施例１の転倒防止作用は発揮されない。
【０１１７】
例えば、図８において、固定ベルト１、固定ベルト２のみで背面固定用金具４，４を欠いた場合、洋服箪笥Ｙはその上部にて間隙Ｓにより前後に揺動し、その揺動が激しくなると固定ベルト１、固定ベルト２を壁面Ｈ（化粧材Ｈ１、間柱Ｍ１、Ｍ２）に固定している壁面用金具３、３，……の螺子ｎ（複数）に負荷がかかり、ついには螺子ｎ（複数）が壁面Ｈより抜脱される。
【０１１８】
その結果、固定ベルト１、固定ベルト２は壁面Ｈへの固定状態を解除され、洋服箪笥Ｙの右側面上部、正面上部、左側面上部は緊縛状態から解除されて前後・左右に激しく揺動し、ついには転倒する結果となる。
【０１１９】
また、揺れのない通常の状態にても、洋服箪笥Ｙはやや前傾した姿勢にあるので、固定ベルト１、固定ベルト２には常に負荷がかかり、固定ベルト１、固定ベルト２を壁面Ｈに固定している壁面用金具３、３，……の螺子ｎ（複数）を壁面Ｈから抜脱せんとする力が働いている状態となる。
【０１２０】
これに対し、背面固定用金具４，４がある場合には、背面固定用金具４，４がある程度洋服箪笥Ｙの荷重を分担して受け止めるので、固定ベルト１、固定ベルト２にかかる負荷はより小さなものとなる。
【０１２１】
また、図８において、背面固定用金具４，４のみで固定ベルト１、固定ベルト２を欠いた場合、地震の揺れにより洋服箪笥Ｙが前方、側方へと揺動せんとする強い力が、背面固定用金具４，４に働き、背面固定用金具４，４を壁面Ｈに固定している螺子ｍ（複数）に負荷がかかり、ついには螺子ｍ（複数）が壁面Ｈより抜脱される。
【０１２２】
その結果、背面固定用金具４，４の壁面Ｈへの固定状態は解除され、洋服箪笥Ｙは前後・左右に激しく揺動し、ついには転倒する結果となる。
【０１２３】
図８では、背面固定用金具４，４は、間柱Ｍ１、Ｍ２のある位置の壁面Ｈに螺着固定されていないが、たとえ背面固定用金具４，４が間柱Ｍ１、Ｍ２のある位置の壁面Ｈに螺着固定されていたとしても、地震の揺れが激しくなれば螺子ｍ（複数）の抜脱は免れず、結局洋服箪笥Ｙの転倒を見る結果となる。
【０１２４】
しかし、図８に見るように、固定ベルト１、固定ベルト２、そして複数の背面固定用金具４，４が同時に使用されている場合には、固定ベルト１、固定ベルト２が壁面用金具３、３，……を介して間柱Ｍ１、Ｍ２のある位置の壁面Ｈに固定されていれば、背面固定用金具４，４が間柱Ｍ１、Ｍ２のある位置の壁面Ｈに螺着固定されていなくとも、洋服箪笥Ｙの後方への揺動が背面固定用金具４，４により抑制され、前方、側方への揺動が固定ベルト１、固定ベルト２により防止されるので、洋服箪笥Ｙが転倒に至ることはない。
【０１２５】
すなわち、本発明の実施例１においては、固定ベルト１、固定ベルト２と背面固定用金具４，４が協働して洋服箪笥Ｙの揺動を抑制・防止する結果、洋服箪笥Ｙの転倒を防止するという作用を果たすものである。
【０１２６】
また、本発明の実施例１において、固定ベルト１、固定ベルト２を装着したままで右扉Ｔ１，左扉Ｔ２を開く場合には、次のような工程による。
【０１２７】
すなわち、図１４に示すように、まず、固定ベルト２の面ファスナー２１の端部２１ｄを手に持って引き（方向Ａ）、固定ベルト１の面ファスナー１１の端部１１ｃとの係着状態を解除する。
【０１２８】
これにて、固定ベルト１と固定ベルト２の連結状態は解除されるので、後は、図１５に示すように、右扉Ｔ１と左扉Ｔ２を通常のように開けば良い（方向Ｂ）。
【０１２９】
右扉Ｔ１と左扉Ｔ２を閉じる場合には、上記プロセスを逆に辿る。すなわち、まず、図１５に示すように右扉Ｔ１と左扉Ｔ２を閉じ（方向Ｃ）、次に、図１４に示すように固定ベルト２の面ファスナー２１の端部２１ｄを再び固定ベルト１の面ファスナー１１の端部１１ｃと係着させる（方向Ｇ）。
【０１３０】
これにて、固定ベルト１と固定ベルト２が連結され、図１３に示す固定ベルト１と固定ベルト２が洋服箪笥Ｙを緊縛している状態が復元される。
【０１３１】
（実施例１の装着方法２）
次に、図１６に示すのは、間柱Ｍ３、Ｍ４、Ｍ５、Ｍ６、Ｍ７の位置が図１３に示す壁面Ｈとは異なる壁面Ｊに洋服箪笥Ｙを固定する方法である。
【０１３２】
この場合、間柱Ｍ３、間柱Ｍ７は洋服箪笥Ｙからやや離れた位置にあるが、図１６に示す状態で、固定ベルト１を間柱Ｍ３に壁面用金具３、３を介して固定し、固定ベルト２を間柱Ｍ７に壁面用金具３、３を介して固定する。
【０１３３】
また、背面固定用金具４，４をそれぞれ、間柱Ｍ４、Ｍ６に固定する。これにて、実施例１の装着固定は完了する。このように、本発明の実施例１は、間柱の位置によらず、家具類を壁面に確実に装着固定できるのが大きな特徴である。
【０１３４】
（実施例１の装着方法３）
次に、本発明の実施例１を、家具類の引き出し部分に装着した場合の作用に関して、図面を参照しながら詳細に説明する。
【０１３５】
図９は、本発明の実施例１の家具用耐震器具を用いて、複数の引き出しを有する整理箪笥Ｚを壁面Ｋに固定した状態を示す。ここでは、説明を簡単にするために、一番上の引き出しＤ３を固定する作用を述べる。Ｍ８、Ｍ９は壁面Ｋの化粧材Ｋ１の背後に立設された間柱（構造材）である。
【０１３６】
本発明の実施例１の家具用耐震器具を整理箪笥Ｚに装着固定するプロセスは、以下のとおりである。
【０１３７】
まず、固定ベルト１を整理箪笥Ｚの上部右側に装着固定する。より詳しくは、図９に見るように、固定ベルト１の金具用リング１４、１５に係合された壁面用金具３、３を、面ファスナー１２と面ファスナー１３が「く」の字状になるようにそれぞれ壁面Ｋの化粧材Ｋ１に螺着する。
【０１３８】
この際、壁面用金具３、３は、裏面に間柱Ｍ８のある位置を選んで、それぞれ壁面Ｋの化粧材Ｋ１に螺着するものとする。この理由は、間柱Ｍ８のない位置に螺着された場合、強度的に弱くなるからである。
【０１３９】
またこの際、図１８に見るように、中間リング１０が整理箪笥Ｚの正面から、距離ζとなるように、面ファスナー１２、１３の長さを調節する。距離ζは整理箪笥Ｚの奥行きＥの２分の１程度とする。
【０１４０】
面ファスナー１２、１３の長さを調節する方法は、洋服箪笥Ｙの場合と同様であるので、説明は省略する。
【０１４１】
次に、面ファスナー１１の中間リング１０への係着状態を一旦解除し、面ファスナー１１の端部１１ｃの位置が図１７、図１８に示す位置にくるように調節して、再び面ファスナー１１を中間リング１０へ係着させる。
【０１４２】
すなわち、整理箪笥Ｚの左右の中心線をＣＬ´とすれば（図１８）、面ファスナー１１の端部１１ｃの左端が中心線をＣＬ´から左に距離θだけ離れた位置にくるように調節する。なお、距離θは５ｃｍ以上とする。
【０１４３】
次に、端部１１ｃを手で抑え（図１７）、面ファスナー１１の中間部１１ｅが整理箪笥Ｚの右側面前方に接している部分の平滑面１１ｂを整理箪笥Ｚの右側面前方に、両面粘着性樹脂テープ５をもって接着することにより、固定ベルト１を整理箪笥Ｚに装着固定する。
【０１４４】
この後、図１７に見るように、もう一方の端部１１ｄの長さを調節する。すなわち、端部１１ｄの左端が中心線ＣＬ´から右へ距離η＋距離Δｆの位置にくるように（図１８）、端部１１ｄを切断する（図１７）。なお、距離ηは５ｃｍ以上，距離Δｆは０〜２ｃｍ程度とする。
【０１４５】
次に、端部１１ｄの係着面１１ａ、中間部１１ｅの係着面１１aを中間部１１ｆの係着面１１ａに係着させ（図１７）、図１８に見るように、面ファスナー１１を緩みなく整理箪笥Ｚの上部右側に装着固定する。これにて、固定ベルト１の装着固定は完了である。
【０１４６】
次に、固定ベルト２を整理箪笥Ｚの上部左側に装着固定する。
【０１４７】
より詳しくは、図９に見るように、固定ベルト２の金具用リング２４、２５に係合された壁面用金具３、３を、面ファスナー２２と面ファスナー２３が「く」の字状になるようにそれぞれ壁面Ｋの化粧材Ｋ１に螺着する。この際、壁面用金具３、３は、裏面に間柱Ｍ９のある位置を選んで、それぞれ壁面Ｋの化粧材Ｋ１に螺着するものとする。
【０１４８】
またこの際、図１８に見るように、中間リング２０が整理箪笥Ｚの正面から、距離ζとなるように、面ファスナー２２、２３の長さを調節する。距離ζは整理箪笥Ｚの奥行きＥの２分の１程度とする。また、面ファスナー２２、２３の長さを調節する方法は、固定ベルト１の場合と同様である。
【０１４９】
次に、面ファスナー２１の中間リング２０への係着状態を一旦解除し、面ファスナー２１の端部２１ｃの位置が図１７、図１８に示す位置にくるように調節して、再び面ファスナー２１を中間リング２０へ係着させる。
【０１５０】
すなわち、面ファスナー２１の端部２１ｃの右端が中心線ＣＬ´から左に距離θ＋距離Δｅだけ離れた位置にくるように調節する（図１８）。なお、距離θは５ｃｍ以上、距離Δｅは０〜２ｃｍ程度とする。
【０１５１】
次に、端部２１ｃを手で抑え（図１７）、面ファスナー２１の中間部２１ｅが整理箪笥Ｚの左側面前方に接している部分の平滑面２１ｂを整理箪笥Ｚの左側面前方に、両面粘着性樹脂テープ５をもって接着することにより、固定ベルト２を整理箪笥Ｚに装着固定する（図１７）。
【０１５２】
この後、図１７に見るように、もう一方の端部２１ｄの長さを調節する。すなわち、端部２１ｄの右端が中心線ＣＬ´から右へ距離ηの位置にくるように（図１８）、端部２１ｄを切断する（図１７）。なお、距離ηは５ｃｍ以上とする。
【０１５３】
次に、端部２１ｄの係着面２１ａを固定ベルト１の面ファスナー１１の端部１１ｃの係着面１１ａに係着させ、中間部２１ｅの係着面２１ａを中間部２１ｆの係着面２１ａと端部２１ｃの係着面２１ａに係着させ（図１７）、図１８に見るように、面ファスナー２１を緩みなく整理箪笥Ｚの上部左側に装着固定する。これにて、固定ベルト２の装着固定は完了である。
【０１５４】
次に、図９に見るように、整理箪笥Ｚの上面Ｚａの後端部に生じる間隙Ｓ´に背面固定金具４，４を挿入固定する。この挿入固定方法は、洋服箪笥Ｙにおける背面固定金具４，４の挿入固定方法と略同一であるので、説明は省略する。
【０１５５】
また、地震による揺れを被った場合の作用についても、洋服箪笥Ｙの場合と略同様であるので、その説明は省略する。
【０１５６】
また、整理箪笥Ｚにおいて、固定ベルト１、固定ベルト２を装着したままで引き出しＤ３を開く場合には、次のような工程による。
【０１５７】
すなわち、図１９に示すように、まず、固定ベルト２の面ファスナー２１の端部２１ｄを手に持って引き（方向Ａ´）、固定ベルト１の面ファスナー１１の端部１１ｃとの係着状態を解除する。
【０１５８】
これにて、固定ベルト１と固定ベルト２の連結状態は解除されるので、固定ベルト１と固定ベルト２は共に整理箪笥Ｚの緊縛状態を解除される（方向Ｂ´）。後は、図２０に示すように、引き出しＤ３を引き出せば良い（方向Ｃ´）。
【０１５９】
引き出しＤ３を閉じる場合には、上記プロセスを逆に辿る。すなわち、まず、図２０に示すように引き出しＤ３を閉じ（方向Ｄ´）、次に、図１９に示すように、固定ベルト１と固定ベルト２を引き出しＤ３に密着させつつ（方向Ｅ´）、固定ベルト２の面ファスナー２１の端部２１ｄを再び固定ベルト１の面ファスナー１１の端部１１ｃと係着させる（方向Ｆ´）。
【０１６０】
これにて、図１８に示す固定ベルト１と固定ベルト２が連結され、整理箪笥Ｚを緊縛している状態が復元される。
【０１６１】
（実施例１の装着方法４）
なお、図１０，図１１は、整理箪笥Ｚの引き出しＤ３、Ｄ４、Ｄ５、Ｄ６、Ｄ７、Ｄ８のすべてに本発明の実施例１の家具用耐震器具の固定ベルト１と固定ベルト２のセットを６組と、上面Ｚａに背面固定用金具４、４を装着固定した状態を示すものである。
【図面の簡単な説明】
【０１６２】
【図１】本発明の実施例１の作用状態の一例を示す外観斜視図である。
【図２】本発明の実施例１の固定ベルトと壁面用金具と両面粘着性樹脂テープの外観斜視図である。
【図３】本発明の実施例１の固定ベルトと壁面用金具と両面粘着性樹脂テープの外観斜視図である。
【図４】本発明の実施例１の壁面用金具の一例の外観斜視図である。
【図５】本発明の実施例１の壁面用金具の一例の外観斜視図である。
【図６】本発明の実施例１の背面固定用金具の一例の外観斜視図である。
【図７】本発明の実施例１の背面固定用金具の一例の作用状態を示す縦断面図である。
【図８】図１の要部の拡大図である。
【図９】本発明の実施例１の作用状態の一例を示す外観斜視図である。
【図１０】本発明の実施例１の作用状態の一例を示す右側面図である。
【図１１】本発明の実施例１の作用状態の一例を示す左側面図である。
【図１２】本発明の実施例１の一例の装着方法を示す説明図である。
【図１３】本発明の実施例１の一例の装着方法を示す説明図である。
【図１４】本発明の実施例１の一例の作用状態を示す説明図である。
【図１５】本発明の実施例１の一例の作用状態を示す説明図である。
【図１６】本発明の実施例１の一例の作用状態を示す説明図である。
【図１７】本発明の実施例１の一例の装着方法を示す説明図である。
【図１８】本発明の実施例１の一例の装着方法を示す説明図である。
【図１９】本発明の実施例１の一例の作用状態を示す説明図である。
【図２０】本発明の実施例１の一例の作用状態を示す説明図である。
【図２１】従来のＬ字金具の作用状態を示す外観斜視図である。
【図２２】特許文献１の家具類転倒防止用止め金具の作用状態を示す左側面図である。
【図２３】特許文献２の転倒防止具の作用状態を示す右側面図である。
【図２４】特許文献３の耐震ベルトの作用状態を示す正面図である。
【図２５】特許文献４の家具倒れ止め具の作用状態を示す縦断面図である。
【図２６】家具類と壁面の間に間隙が生じることを示す説明図である。
【符号の説明】
【０１６３】
１      固定ベルト
１０    中間リング
１１    面ファスナー
１１ａ  係着面
１１ｂ  平滑面
１１ｃ  端部
１１ｄ  端部
１１ｅ  中間部分
１１ｆ  中間部分
１２    面ファスナー
１２ａ  係着面
１２ｂ  平滑面
１２ｃ  端部
１２ｄ  端部
１２ｅ  係着部分
１２ｆ  係着部分
１３    面ファスナー
１３ａ  係着面
１３ｂ  平滑面
１３ｃ  端部
１３ｄ  端部
１３ｅ  係着部分
１３ｆ  係着部分
１４    金具用リング
１５    金具用リング
２      固定ベルト
２０    中間リング
２１    面ファスナー
２１ａ  係着面
２１ｂ  平滑面
２１ｃ  端部
２１ｄ  端部
２１ｅ  中間部分
２１ｆ  中間部分
２２    面ファスナー
２２ａ  係着面
２２ｂ  平滑面
２２ｃ  端部
２２ｄ  端部
２２ｅ  係着部分
２２ｆ  係着部分
２３    面ファスナー
２３ａ  係着面
２３ｂ  平滑面
２３ｃ  端部
２３ｄ  端部
２３ｅ  係着部分
２３ｆ  係着部分
２４    金具用リング
２５    金具用リング
３      壁面用金具
３ａ    本体
３ｂ    係合部
３ｃ    螺子孔
３ｄ    螺子孔
３１    壁面用金具
３１ａ  本体
３１ｂ  切断線
３１ｃ  切断線
３１ｄ  係合部
３１ｅ  螺子孔
３１ｆ  螺子孔
４      背面固定用金具
４１    平板
４１ｂ  屈曲部
４１ｃ  ばね部
４１ｄ  屈曲部
４１ｅ  家具固定部
４２    螺子孔
４３    螺子孔
４４    螺子孔
４５    螺子孔
５      両面粘着性樹脂テープ
５１    樹脂テープ
５２    保護被膜
５３    保護被膜
Ｃ      粘着剤
ＣＬ    中心線
ＣＬ´  中心線
Ａ      方向
Ａ´    方向
Ｂ      方向
Ｂ´    方向
Ｃ      方向
Ｃ´    方向
Ｄ      奥行き
Ｄ１    引き出し
Ｄ２    引き出し
Ｄ３    引き出し
Ｄ４    引き出し
Ｄ５    引き出し
Ｄ６    引き出し
Ｄ７    引き出し
Ｄ８    引き出し
Ｄ´    方向
Ｅ      奥行き
Ｅ´    方向
Ｆ      床
Ｆ´    方向
Ｇ      方向
Ｈ      壁面
Ｈ１    化粧材
Ｊ      壁面
Ｋ      壁面
Ｋ１    化粧材
Ｌ      Ｌ字金具
Ｍ１    間柱
Ｍ２    間柱
Ｍ３    間柱
Ｍ４    間柱
Ｍ５    間柱
Ｍ６    間柱
Ｍ７    間柱
Ｍ８    間柱
Ｍ９    間柱
Ｓ      間隙
Ｓ´    間隙
Ｔ１    右扉
Ｔ２    左扉
Ｙ      洋服箪笥
Ｙａ    上面
Ｚ      整理箪笥
Ｚａ    上面
ｆ１    家具類
ｆ２    家具類
ｆ３    家具類
ｆ４    家具類
ｆ５    家具類
ｆ６    家具類
ｆｚ    床材
ｆｚ１  床材
ｆｚ２  床材
ｈ１    壁面
ｈ２    壁面
ｎ      螺子
ｍ      螺子
ｔ１    家具類転倒防止用止め金具
ｔ１１  ブラケット板部
ｔ１２  突張り板部
ｔ１３  壁面
ｔ２    転倒防止具
ｔ２１  ねじシャフト
ｔ２２  ねじシャフト
ｔ２３  天井
ｔ２４  床
ｔ２５  横滑り防止具
ｔ３    耐震ベルト
ｔ３１  床
ｔ４    家具倒れ止め具
ｔ４１  平板
ｔ４２  リブ
ｔ４３  床
Δｄ    距離
Δｅ    距離
Δｆ    距離
δ      長さ
ε      距離
ζ      距離
η      距離
θ      距離
【図１】
2005111062.tif 000003
【図２】
2005111062.tif 000004
【図３】
2005111062.tif 000005
【図４】
2005111062.tif 000006
【図５】
2005111062.tif 000007
【図６】
2005111062.tif 000008
【図７】
2005111062.tif 000009
【図８】
2005111062.tif 000010
【図９】
2005111062.tif 000011
【図１０】
2005111062.tif 000012
【図１１】
2005111062.tif 000013
【図１２】
2005111062.tif 000014
【図１３】
2005111062.tif 000015
【図１４】
2005111062.tif 000016
【図１５】
2005111062.tif 000017
【図１６】
2005111062.tif 000018
【図１７】
2005111062.tif 000019
【図１８】
2005111062.tif 000020
【図１９】
2005111062.tif 000021
【図２０】
2005111062.tif 000022
【図２１】
2005111062.tif 000023
【図２２】
2005111062.tif 000024
【図２３】
2005111062.tif 000025
【図２４】
2005111062.tif 000026
【図２５】
2005111062.tif 000027
【図２６】
2005111062.tif 000028